(57)【要約】      （修正有）【課題】ビブラートユニットの取り付け方を工夫することにより、アコースティックギター本来の響きや音色を損なうことなく、また、響板を痛めることなく、アーミング演奏を楽しむことを可能とするアコースティックギターを提供する。【解決手段】ビブラートユニットを備えたアコースティックギターは、ビブラートユニット７をアコースティックギターの響板である表板２に非接触に配置し、アコースティックギターのサドル上部より表板に近接する位置において、アコースティックギターの複数の弦５をビブラートユニット７に係止する。特に、表板に開けた貫通穴に、ギターのボディ内部より立設したセンターポールを通し、このポールによりビブラートユニットを支持する。【選択図】図１
0003179761.tif 000002
【実用新案登録請求の範囲】
【請求項１】
弦の一端を固定しアームの操作により上記弦の張力を変化可能なテールピースであるビブラートユニットと、アコースティックギターと、を有するビブラートユニットを備えたアコースティックギターであって、
上記ビブラートユニットを上記アコースティックギターの響板である表板に非接触に配置し、
上記アコースティックギターのサドル上部より上記表板に近接する位置において、上記アコースティックギターの複数の弦が上記ビブラートユニットに係止される
ことを特徴とするビブラートユニットを備えたアコースティックギター。
【請求項２】
上記表板には貫通穴が設けられ、
上記アコースティックギターのボディの内部より上記貫通穴を貫通するセンターポールを立設し、
上記ビブラートユニットの固定部は上記アコースティックギターの側板テール部に係止され、
上記ビブラートユニットの上記表板上の部分は、上記センターポールにより支持される
ことを特徴とする請求項１に記載のビブラートユニットを備えたアコースティックギター。
【請求項３】
上記アコースティックギターのボディの内部において上記センターポールを立設するための支持構造は上記アコースティックギターの側板により固定され、且つ上記アコースティックギターの表板および裏板には接触していない
ことを特徴とする請求項２に記載のビブラートユニットを備えたアコースティックギター。
【請求項４】
上記センターポールは、上記ビブラートユニットの固定部と最も離れた他端を支持する
ことを特徴とする請求項２または請求項３に記載のビブラートユニットを備えたアコースティックギター。
【考案の詳細な説明】
【技術分野】
【０００１】
本考案は、ビブラートユニットを備えたギター、特にアコースティックギターに関するものである。
【背景技術】
【０００２】
弦の一端を固定するテールピースの中でも、弦のテンションを演奏時に変化させることが出来るものをビブラートユニットと呼ぶ。トレモロユニットと呼ぶこともある。ビブラートユニットはエレクトリックギターに搭載され、音程を連続して上下させるための機構である。標準に搭載されている場合もあれば、後付で装備される場合もある。
【０００３】
ビブラートユニットは、一般にアームと呼ばれる金属製の棒状の操作部を有し、このアームを演奏者が上下させることで、弦のテンションを連続的に変化させることができる。その結果として、音程が連続的に変化する。
【０００４】
ビブラートユニットを使用したエレクトリックギターの奏法はアーミングと呼ばれ、他の楽器では不可能な、エレクトリックギター固有の奏法として、多くの演奏者によって用いられている。例えば、アームをギターに押し付けるようにすると、弦のテンションが緩み音程が下がるが、これにより、地鳴りのような激しい音を表現できる。一方、アームを持ち上げると、弦のテンションが増し、高い音を出すことができる。また、アームを細かく上下に揺らすことで、いわゆるビブラートがかかった音を出すこともできる。
【０００５】
エレクトリックギターに用いるビブラートユニットとしては、アームの操作に応じて、テンションの変化を弦ごとに制御可能なもの（例えば、特許文献１）や、弦のテンションの調整を容易に行えるもの（例えば、特許文献２）が提案されている。
【先行技術文献】
【特許文献】
【０００６】
【特許文献１】特開平６−１６７９６８号公報
【特許文献２】特開２０１１−２２１３３３号公報
【考案の概要】
【考案が解決しようとする課題】
【０００７】
特許文献１や特許文献２において開示されたビブラートユニットは、エレクトリックギターのボディ表面に弦の端末子等を収納するための収納穴を設けるとともに、ビブラートユニット本体をエレクトリックギターのボディにネジ止めすることで、ギター本体にビブラートユニットを固定している。このような構成は、弦の響きを電気的に増幅し、また、ギター本体がバルク構造であるエレクトリックギターでは可能であるが、アコースティックギターでは事実上不可能である。
【０００８】
なぜならば、アコースティックギターの場合、表板、側板、そして裏板が共振胴の働きを持っているからである。すなわち、弦をはじいた際に出る微弱な音を、共振作用を用いて増幅する役割をギターのボディーは有している。それだけではなく、ボディの構造は、音色（基本音と高次音の比率等の特性）や余韻（共振後の響きの減衰特性）を最適化している非常にデリケートなものである。
【０００９】
このようなボディに大きな穴を開けたり、比較的大きな質量を持つ金属製のビブラートユニットを固定すれば、共振周波数の変化や増幅率の減少が起こるとともに、音色や余韻に大きな変化が生じてしまい、アコースティックギターの持つ美しい響きは大きく損なわれてしまう。
【００１０】
それだけではなく、アコースティックギターの表板等は、大きな共振作用を実現するために、３ｍｍ程度と非常に薄い板であり、バルク材であるエレクトリックギターのボディに比べて、機械強度が著しく劣っている。この表板上にビブラートユニットを固定した場合、弦のテンションやアームの操作により表板は大きな力を受け、表板やその裏側に設けられた力木を破損してしまう恐れがある。
【００１１】
この考案は上記問題点を解決するためになされたもので、このようなデリケートなアコースティックギターにおいても、アーミング演奏を可能とするものである。
【課題を解決するための手段】
【００１２】
この考案に係るビブラートユニットを備えたアコースティックギターは、弦の一端を固定しアームの操作により上記弦の張力を変化可能なテールピースであるビブラートユニットと、アコースティックギターと、を有するビブラートユニットを備えたアコースティックギターであって、上記ビブラートユニットを上記アコースティックギターの響板である表板に非接触に配置し、上記アコースティックギターのサドル上部より表板に近接する位置において、上記アコースティックギターの複数の弦が上記ビブラートユニットに係止されることを特徴とするものである。
【００１３】
特に、この考案に係るビブラートユニットを備えたアコースティックギターは、上記表板には貫通穴が設けられ、上記アコースティックギターのボディの内部より上記貫通穴を貫通するセンターポールを立設し、上記ビブラートユニットの固定部は上記アコースティックギターの側板テール部に係止され、上記ビブラートユニットの上記表板上の部分は、上記センターポールにより支持されることを特徴とするものである。
【００１４】
さらに、この考案に係るビブラートユニットを備えたアコースティックギターは、上記アコースティックギターのボディの内部において上記センターポールを立設するための支持構造は上記アコースティックギターの側板により固定され、且つ上記アコースティックギターの表板および裏板には接触していないことを特徴とするものである。
【００１５】
さらに、この考案に係るビブラートユニットを備えたアコースティックギターは、上記センターポールが、上記ビブラートユニットの固定部と最も離れた他端を支持することを特徴とするものである。
【考案の効果】
【００１６】
この考案に係るビブラートユニットを備えたアコースティックギターは、アコースティックギター本来の美しい音色を損なうことなく、また、響板である表板の破損を心配することなく、演奏者が思う存分にアーミング演奏を満喫できる。
【図面の簡単な説明】
【００１７】
【図１】本考案に係るビブラートユニットを備えたアコースティックギターの（ａ）前面図、および（ｂ）テール部斜視図である。
【図２】本考案に係るビブラートユニットを備えたアコースティックギターの内部構造図である。
【図３】本考案に係るビブラートユニットを備えたアコースティックギターのビブラートユニットを配置する近傍の図である。
【図４】本考案に係るビブラートユニットを備えたアコースティックギターのビブラートユニットを横方向から見た図である。
【考案を実施するための形態】
【００１８】
以下において、本考案に係る実施の形態について詳述する。なお、この実施の形態は本考案を具体化した一例であって、本考案はこれに限定されるものではない。
まず、本考案に係るビブラートユニットを備えたアコースティックギター１の構成について説明する。
【００１９】
図１は、この考案に係るビブラートユニットを備えたアコースティックギター１の（ａ）前面図、および（ｂ）テール部斜視図である。同図に示すように、この考案に係るビブラートユニットを備えたアコースティックギター１は、表板２、側板３、サウンドホール４、複数の弦５、サドルブリッジ６、およびビブラートユニット７等を備えている。
【００２０】
表板２は、響板あるいはサウンドボードとも呼ばれる。弦５を弾いた際に生じる弦５の振動は、サドルブリッジ６を介して表板２に伝わる。表板２は、その平面形状によって決まるいくつかの共振の固有振動数を持つが、それらの固有振動数は、複数の弦７の振動数領域に対応した振動数であるため、弦の振動に対して表板２は図１（ａ）の紙面前後に強く共振し、大きな空気振動、すなわち大きな音を生じる。なお、表板２が図１（ａ）の紙面前後にできるだけ大きく振動するように、表板２の厚みは３ｍｍ程度と薄い板で構成されている。
【００２１】
表板２には、サドルブリッジ６を介して複数の弦５からの強いテンションが掛かっている。すなわち、表板２を図１（ａ）の紙面奥側に押す強い力が掛かっている。この力に対して、３ｍｍ程度の薄板である表板２の機械強度を十分に保つためには、表板２がわずかに図１（ａ）の紙面手前側にふくらんだラウンド形状を持つことが望ましい。
【００２２】
側板３は、表板２と図示しない裏板を接続する役割を持ち、表板２、側板３および裏板により、内部に空間を有するボディを構成する。表板２の振動は、このボディ内部でも空気振動を生じ、それによって裏板も振動する。裏板の平面形状は、表板２の平面形状とほぼ同形状であるため、表板２とほぼ等しい固有振動数を持ち、ボディ内部には強い空気振動が生じる。
表板２には、サウンドホール４が設けられ、上記ボディ内で生じた空気振動である音を外部に伝える働きを持っている。また、このサウンドホール４からボディへの空気の出入によって生じるヘルムホルツ振動と呼ばれる空気振動の固有振動数は、ギターの最低音である８０Ｈｚから１００Ｈｚ付近であり、最低音を増幅する働きも持っている。
【００２３】
複数の弦５の一端は、サウンドホール４の上方に伸びたネックの最上端であるヘッドに設けられた糸巻きであるペグ（ネック、ヘッド、ペグは図示せず）に巻きつけて止められている。他端は、ビブラートユニット７の弦係止部７ｂに巻きつけて止められる。
【００２４】
サドルブリッジ６は、サドル部とブリッジ部からなる。サドル部は複数の弦５を支え、弦５の振動をブリッジ部に伝える。ブリッジ部はサドル部を固定し、サドル部から伝わった弦振動を表板２に伝える役割を持つ。
【００２５】
ビブラートユニット７は、ビブラートユニット基体７ａ、弦係止部７ｂ、操作部であるアーム７ｃ、および固定部７ｄからなる。ビブラートユニット基体７ａの上部には、円柱形状の弦係止部７ｂが回転可能に設けられている。さらに、ビブラートユニット基体７ａの右上部には、棒状のアーム７ｃが接続部を回転軸として回転可能に設けられている。棒状のアーム７ｃの回転により、弦係止部７ｂが回転する構造を持ち、演奏中にアーム７ｃを押下げたり、引き上げたりするように回転させることで、弦係止部７ｂがそれに応じて回転し、巻きつけられた複数の弦５のテンションが連続的に変化する。すなわち、アーム７ｃの操作により、音の高低を連続的に変化させることができる。
【００２６】
ビブラートユニット基体７ａの下部には、固定部７ｄが設けられ、側板３のテール部分にネジ止め等により固定される。
ところで、固定部７ｄを側板３のテール部分に係止した状態では、ビブラートユニット７の上端部分、すなわち弦係止部７ｂ近傍が表板２に強く押し付けられることが必要である。強く押し付けられるようにしなければ、アーム７ｃを上下させる操作をした際に、弦係止部７ｂが上下にフラフラしてしまい、これに応じて複数の弦５のテンションが変化し、演奏者が意図しない音程変化が生じてしまう。例えば、アーム７ｃを押し下げた際に、弦係止部７ｂも表板２方向に動いてしまい、それによって複数の弦５が引っ張られてテンションが増加する。そのため、演奏者が意図していたほどの低音が出なかったり、逆に高い音が出るといった不具合が生じる。逆にアーム７ｃを押し上げた際にも、同様に演奏者の意図しない音程の狂いが生じてしまう。したがって、アーム７ｃの操作によって弦係止部７ｂ近傍に生じる力よりも十分に強い押しつけ力で、弦係止部７ｂ近傍が表板２に押し付けられていることが必要である。
【００２７】
しかし、ビブラートユニット７の上端部分、すなわち弦係止部７ｂ近傍が表板２に接触してしまうと、表板の固有振動数や音色、あるいは余韻に変化が生じ、アコースティックギターが本来持つ美しい響きが大きく損なわれてしまう。
また、ビブラートユニット７の上端部分が表板２に強く押し付けられると、薄い板である表板２やその裏側に設けられた力木が破損してしまう恐れがある。特に、演奏時に激しくアーム７を押下げるような動作を繰り返すと、表板２に強い力が掛かり続けることになり、表板２や力木の破損の原因となる。
【００２８】
そこで、本考案では、ビブラートユニット７が表板２に直接接触しない独自の構造を構築した。その構成について、図２から図４を用いて説明する。
【００２９】
図２は、表板２を取り外して、ボディの内部を上から見た図である。側板３に取り付けられた４つの梁支持部８ａ、８ｂ、８ｃおよび８ｄに２本の梁９ａおよび９ｂをはめ込んで固定する。そして、この２本の梁９ａと９ｂの間に、板状のセンターポール支持部１０を接着により固定した。さらに、センターポール支持部１０の側面に貫通穴を開け、梁９ａおよび９ｂの側面に開けた貫通穴との間でダボ（丸棒）１１ａ、１１ｂを通して補強した。
センターポール支持部１０の固定方法は、上記の方法に限るものではないが、アーミングの際に大きな力が掛かるセンターポール支持部１０の支持は、十分に強固なものとすることが必要である。一方で、支持構造体の重量を最小限に押さえることにも留意し、上記のような構造とした。
次に、センターポール支持部１０上に、ネジ止めにより２本のビスを立てる。ここでは、Ｍ８のビスを用いた。この２本のビスが、ビブラートユニット７を支えるセンターポール１２ａおよび１２ｂである。
【００３０】
なお、図２において、梁９ａおよび９ｂ等の下側に見える構造は、裏板の補強構造であり、本考案の主題に関わる構成ではない。
これらの構造を構築する際に配慮したことは、梁９ａおよび９ｂ等が、すべて側板３に支持され、表板２や裏板には接触していないことである。このようにすることで、センターポール１２ａおよび１２ｂに掛かる負荷は、側板３のみに力を及ぼし、表板２や裏板には力をおよぼさない。
【００３１】
上述したように、表板２は弦５の振動を直接に受け、共振により強い振動、すなわち大きな音色を生じる部分であり、また、裏板はボディ内において、表板２の振動により生じた空気振動に同期した振動を生じる部分であるため、これらに力をおよぼさない構造にすれば、アコースティックギター本来の響きを損なうことはない。
【００３２】
図３は、表板２を取り付けた状態における、センターポール１２ａおよび１２ｂ付近の斜視図である。表板２には、センターポール１２ａおよび１２ｂの位置に合うように２つの穴が開けられ、この２つの穴から、センターポール１２ａおよび１２ｂの頂部が表板２の表面より２ｍｍ程度出るようにしている。
【００３３】
表板２に開けられた穴は、センターポール１２ａおよび１２ｂの頂部の径よりもわずかに大きな径を有し、センターポール１２ａおよび１２ｂと接触することはない。
なお、ここでは２本のセンターポール１２ａと１２ｂを、図２および図３に示すように斜めの位置に設けた。これは、ビブラートユニット７の裏面形状の端部に合わせて、２本のセンターポール１２ａと１２ｂを配置したためである。
【００３４】
ビブラートユニット７の固定点は、側板３のテール部に設けられた固定部７ｄであり、アーム操作により、ビブラートユニット７は、固定部７ｄを回転中心としたトルクが作用するが、このトルクが最大となるのは、固定部７ｄから最も離れた位置であるビブラートユニット７の上方、すなわち、弦係止部７ｂ付近であり、その裏面形状の端部にセンターポール１２ａと１２ｂを配置することで、確実にビブラートユニット７を支えることが出来る。
【００３５】
また、本実施の形態においては、２本のセンターポール１２ａと１２ｂを用いたが、さらに多くのセンターポールを用いて、ビブラートユニット７をさらに強固に支持することも可能である。センターポールのビス径を大きくすることも考慮に値する。ただし、いずれの場合も、表板２に開ける穴の総面積が大きくなるため、表板２の音響特性の変化を最小限に抑えるべく、本実施の形態の構成とした。
【００３６】
図４は、図３で示した構成に、ビブラートユニット７を取り付けた状態を真横方向（図１（ａ）における左方向）から見た図である。弦係止部７ｂ付近をセンターポール１２ａが支え、アーム７ｃの付け根部分をセンターポール１２ｂが支えている。
【００３７】
そして、わずかではあるがビブラートユニット７全体が表板２より浮いた状態になり、２本のセンターポール１２ａと１２ｂで、ビブラートユニット７と表板２との接触を防止している。また、弦５は、弦係止部７ｂに向かって表板２に近づくように傾いており、弦５がサドルブリッジ６に強く押し付けられる構成になっていることが分かる。複数の弦５がサドルブリッジ６に強く押し付けられるようにするためには、複数の弦５を係止している弦係止部７ｂが、サドルブリッジ６の上端よりも表板２に近い位置にあることが必要であるが、本構成においてはそれが実現されている。上述したように、センターポール１２ａおよび１２ｂの頂部が表板２の表面よりわずか２ｍｍ程度だけ出るようにしているのは、この点を考慮したためである。
【００３８】
最後に本考案について、以下にまとめる。
従来より、ビブラートユニットはエレクトリックギターに装備され、有能なアーチストによって、新たな演奏技法が開拓されてきた。時には激しく、時には余韻を奏でることで、エレクトリックギターの表現力をこれまで以上に広げてきた。
【００３９】
しかしながら、アコースティックギターにおいては、この価値ある装備が活かされることはなかった。それは、エレクトリックギターが弦の音を音声ピックアップによって集音し、それを電気的に増幅するものであるのに対して、アコースティックギターでは、弦の振動をギターのボディの共振効果を用いてより大きな音を生じるという、原理上の相違点があったためである。
【００４０】
すなわち、アコースティックギターにおいては、表板や裏板の音響特性がギターの美しい音色を生み出すため、この音響特性を劣化させるビブラートユニットの装備は困難であった。ビブラートユニットの装備は、その操作性を考慮すれば、ギターの前面、すなわち、最も重要な音響特性を持つ響板である表板に取り付けねばならず、アコースティックギターの持つ自然で美しい響きを犠牲にすることは避けられないと考えられてきた。
【００４１】
また、表板はその共振効果を大きくするために数ｍｍ程度の薄い板が用いられ、機械強度に問題があった。演奏中に激しく操作を行うビブラートユニットは、表板に機械的な負荷を継続して与えるため、表板自身やその裏側に設けられた力木を損傷するおそれがあり、その点においても、アコースティックギターにおいてビブラートユニットを使用することは困難であると考えられてきた。
【００４２】
しかしながら、本考案においては、アコースティックギター自身には大きな改造を必要とすることなく、ビブラートユニットと表板とを非接触な構造、いわばビブラートユニットのフローティング構造を実現することで、アコースティックギター本来の美しい音色を損なうことなく、また、表板への損傷を気にすることなく、思う存分にアーミング奏法を楽しむことを可能としたものである。
【００４３】
ただし、大きな改造を必要としないとはいえ、表板にセンターポールを通す穴を開けたり、ボディ内部にセンターポールを設置するための構造を設けたりという改造は行っている。これらの改造がアコースティックギターの音響特性に変化を与えない理由について、さらに考察する。
【００４４】
まず、表板にセンターポールを通す小さな穴を開ける必要があるが、板材の共振の固有振動数は、主にその平面形状、板厚、弾性係数および単位体積当たりの重さによって決まり、小さな穴の有無は固有振動数に大きな影響を与えない。
【００４５】
また、穴を開ける位置は、サドルブリッジの下側であり、この部分は、低音域や中音域においては、大きく振動しない部分であるため、これらの音域においては、穴の存在は音響特性の変化を生じないと考えられる。最高音域においては、この穴の位置が振動の腹の位置の近くになるが、穴の大きさが小さいため、ほとんど音響特性の変化は生じないと考えられる。
【００４６】
次に、センターポールを支持する構造をボディ内に設けたが、図２から分かるように、ボディ内空間の一部を使っただけであり、ボディ内での空気振動を妨げる効果は非常に小さい。また、構造体を固定する部分を音響特性にほとんど寄与しない側板に限定したことが極めて重要な点であり、これにより、センターポールに大きな荷重が加わっても、音響特性にはほとんど変化が生じない。それだけではなく、この構造は側板の振動を抑える効果も持つ。側板の振動は、表板や裏板の振動のエネルギーを奪うというデメリットを生じるため、この構造の存在により、より効果的に表板や裏板に共振のエネルギーを与える効果も持つ。
【００４７】
また、最低音領域においては、サウンドホールからボディ内部への空気の出入によって生じるヘルムホルツ共振が寄与するが、ヘルムホルツ共振の固有振動数は、主にサウンドホールの開口面積とボディ内部の空間容積によって決まるため、図２に示した構造によるボディ内部の空間容積の減少程度では、ほとんど影響がない。また、その影響を完全に取り除きたいのであれば、サウンドホールの開口面積をわずかに小さくすれば、容易に影響を無くすことも可能である。
【００４８】
このように、本考案は、アコースティックギター本来の特性を維持しつつ、アーミング演奏を可能にしたものであり、新たなギター演奏の領域を切り拓く可能性を有している。従来のエレクトリックギターにおいて行われてきたアーミングの手法のみならず、アコースティックギターの音色を活かした、例えば、より情緒的な演奏が新たなアーミングの手法として開発されることも期待できる。
【符号の説明】
【００４９】
１  ビブラートユニットを備えたアコースティックギター、    ２  表板
３  側板、    ４  サウンドホール
５  弦、    ６  サドルブリッジ
７  ビブラートユニット、    ７ａ  ビブラートユニット本体
７ｂ  弦係止部    ７ｃ  アーム
７ｄ  固定部
８ａ、８ｂ、８ｃ、８ｄ  梁支持部
９ａ、９ｂ  梁    １０  センターポール支持部
１１ａ、１１ｂ    ダボ
１２ａ、１２ｂ  センターポール
【図１】
0003179761.tif 000003
【図２】
0003179761.tif 000004
【図３】
0003179761.tif 000005
【図４】
0003179761.tif 000006